(57)【特許請求の範囲】
【請求項１】
発光素子を１列に配置した一次元発光素子アレーと、
画像形成モードが選択される度に該選択された画像形成モードに予め関係付けをした画像形成速度に画像形成速度を切り換える画像形成速度切換手段と、
前記一次元発光素子アレーの各発光素子と同一の構造を有し該各発光素子に１対１に対応させた転送用素子を有する制御手段であって、１ライン分、前記転送用素子を所定のタイミングで順次にアクティブにさせることにより対応する発光素子を順次にアクティブにさせ、引き続き、前記画像形成速度切換手段により切り換えられた画像形成速度に応じたライン分、前記転送用素子をインアクティブにさせることにより対応する発光素子をインアクティブにさせるサイクルを繰り返す制御手段と、
該制御手段により発光素子がアクティブにされたラインに対して、アクティブにされた各発光素子を画像データに基づき駆動し、発光素子がインアクティブされたラインに対して、各発光素子の駆動を停止させる駆動制御手段と
を備えたことを特徴とする画像形成装置。
【請求項２】
請求項１において、
前記制御手段は前記画像形成速度に関らず前記発光素子を最速でアクティブにし、
前記駆動制御手段は前記画像形成速度に関らず前記発光素子を最速で駆動することを特徴とする画像形成装置。
【請求項３】
請求項１において、前記画像形成速度切換手段は前記画像形成速度を２のｎ（ｎは正整数）乗分の１に切り換えることを特徴とする画像形成装置。
【請求項４】
請求項３において、前記駆動制御手段は、各サイクルに対して２のｎ乗マイナス１ライン分だけ駆動を停止させることを特徴とする画像形成装置。
【請求項５】
請求項１において、前記制御手段は、アサートされた所定の転送用信号に同期させて転送用素子を順次にアクティブにすることにより対応する発光素子を順次にアクティブにすることを特徴とする画像形成装置。
【請求項６】
請求項１において、前記制御手段は、
副走査のタイミングをとるためのタイミング信号を供給する信号供給手段と、
該信号供給手段により供給されたタイミング信号をカウントアップするカウンタと、
前記画像形成速度切換手段により画像形成速度が切り換えられる度に前記カウンタのビット数としてｎビットを設定する設定手段と
を有し、
前記カウンタのカウント値が０である場合に、前記転送用素子を所定のタイミングで順次にアクティブにすることにより対応する発光素子を順次にアクティブにし、前記カウンタのカウント値が０以外の場合に、前記画像形成速度切換手段により切り換えられた画像形成速度に応じたライン分、前記転送用素子をインアクティブにすることにより対応する発光素子をインアクティブにする
ことを特徴とする画像形成装置。
【請求項７】
請求項６において、前記制御手段は、
前記カウンタのカウント値が０である場合に、ヘッド駆動制御信号をアサートにし、前記カウンタのカウント値が０以外の場合に、ヘッド駆動制御信号をネゲートにする信号生成手段を有し、
前記信号生成手段によりヘッド駆動制御信号がアサートにされた場合に、前記転送用素子を所定のタイミングで順次にアクティブにすることにより対応する発光素子を順次にアクティブにし、ヘッド駆動制御信号がネゲートにされた場合に、前記画像形成速度切換手段により切り換えられた画像形成速度に応じたライン分、前記転送用素子をインアクティブにすることにより対応する発光素子をインアクティブにする
ことを特徴とする画像形成装置。
【発明の詳細な説明】
【０００１】
【発明の属する技術分野】
本発明は、記録用の一次元発光素子アレーを有する画像形成装置であって、画像形成モードに予め関係付けをした画像形成速度に切り換え可能な画像形成装置に関するものである。
【０００２】
【従来の技術】
自己走査型ＬＥＤアレー（以下、ＳＬＥＤという）は、特開平１−２３８９６２号、特開平２−２０８０６７号、特開平２−２１２１７０号、特開平３−２０４５７号、特開平３−１９４９７８号、特開平４−５８７２号、特開平４−２３３６７号、特開平４−２９６５７９号、特開平５−８４９７１号、ジャパンハードコピー’９１（Ａ−１７）駆動回路を集積した光プリンタ用発光素子アレイの提案、電子情報通信学会（’９０．３．５）ＰＮＰＮサイリスタ構造を用いた自己走査型発光素子（ＳＬＥＤ）の提案等で紹介されており、記録用発光素子として注目されている。
【０００３】
次に、図８の回路の全発光素子を点灯させる場合の動作を図９のタイミングチャートを参照して説明する。シフトパルスφ１，φ２が５Ｖであって、画像データφＩが５Ｖの状態で、スタートパルスφＳが０Ｖから５Ｖに変化すると、ノードａの電圧Ｖａ＝５Ｖ、ノードｂの電圧Ｖｂ＝３．７Ｖ（ダイオードの順方向電圧降下を１．３Ｖとする）、ノードｃの電圧Ｖｃ＝２．４Ｖ、ノードｄの電圧Ｖｄ＝１．１Ｖとなり、ノードｅ以降のノード電圧は０Ｖとなり（図９（ｅ）ないし（ｉ））、転送用サイリスタ１’および２’のゲート信号が０Ｖから、それぞれ５Ｖおよび３．７Ｖに変化することになる。
【０００４】
この状態で、シフトパルスφ１を５Ｖから０Ｖにすると（図９（ｂ））、転送用サイリスタ１’はアノード電圧が５Ｖであり、カソード電圧が０Ｖであり、ゲート電圧が３．７Ｖとなって、転送用サイリスタのＯＮ条件となり、転送用サイリスタ１’がＯＮする。この状態で、スタートパルスφＳが０Ｖに変化しても（図９（ａ））、転送用サイリスタ１’がＯＮしているため、ノードａの電圧Ｖａ≒５Ｖとなる（図９（ｅ））。これは、スタートパルスφＳが抵抗を介して印加されており、サイリスタは、ＯＮすると、アノードとゲート間の電圧がほぼ等しくなるからである。このため、スタートパルスφＳを０Ｖにしても１番目のサイリスタのＯＮ条件が保持され、１番目のシフト動作が完了する。
【０００５】
この状態で、発光サイリスタ用のシフトパルスφ１信号が５Ｖから０Ｖにされると、転送用サイリスタがＯＮした条件と同じになって、発光サイリスタ１がＯＮして、１番目の発光サイリスタが点灯することになる。１番目の発光サイリスタはシフトパルスφ１を５Ｖに戻すことにより（図９（ｂ））、発光サイリスタのアノード−カソード間の電圧差が無くなり、サイリスタの最低保持電流を流せなくなるため、発光サイリスタ１はＯＦＦする。
【０００６】
ついで、転送用サイリスタ１’から転送用サイリスタ２’にサイリスタのＯＮ条件の転送について説明すると、発光サイリスタ１がＯＦＦしても、シフトパルスφ１が０Ｖのままなので、転送用サイリスタ１’はＯＮのままであり、転送用サイリスタ１’のゲート電圧（すなわち、ノードａの電圧）Ｖａ≒５Ｖであり、ノードｂの電圧Ｖｂ＝３．７Ｖである。
【０００７】
この状態で、シフトパルスφ２を５Ｖから０Ｖに変化させるると（図９（ｃ））、転送用サイリスタ２’の電圧はアノード電圧が５Ｖとなり、カソード電圧が０Ｖとなり、ゲート電圧が３．７Ｖとなって（図９（ｆ））、転送用サイリスタ２’がＯＮする。転送用サイリスタ２’がＯＮした後、シフトパルスφ１が０Ｖから５Ｖに変化すると（図９（ｂ））、転送用サイリスタ１’は、発光サイリスタ１がＯＦＦしたのと同様にして、ＯＦＦする。こうして、転送用サイリスタのＯＮは転送用サイリスタ１’から転送用サイリスタ２’に移ることになる。そして、シフトパルスφ１が５Ｖから０Ｖに変化すると（図９（ｂ））、発光用サイリスタ２がＯＮし発光する。
【０００８】
なお、転送用サイリスタがＯＮしている発光サイリスタのみ発光できる理由は、転送用サイリスタがＯＮしていない場合、ＯＮしているサイリスタの隣のサイリスタを除いてゲート電圧が０Ｖであるため、サイリスタのＯＮ条件とならない。隣のサイリスタについても発光用サイリスタがＯＮすることにより、シフトパルスφ１の電圧は３．４Ｖ（発光用サイリスタの順方向電圧降下分）となるため、隣のサイリスタは、ゲート−カソード間の電圧差がないため、ＯＮすることができないからである。
【０００９】
図８に示すような回路構造を有するＳＬＥＤチップをアレイ状に並べたＳＬＥＤへッドは、発光サイリスタの発光により、画像形成装置の感光体を露光するに必要な光量を出力することができる。
【００１０】
このＳＬＥＤヘッドを用いた従来のプリンタは、プリンタ速度を変えると、プリンタ速度に合わせてＳＬＥＤの駆動速度も変えるようになっていたり、また、ＳＬＥＤの駆動速度は変えずに駆動するが、露光不要の印字ラインにおいても、ＳＬＥＤの転送サイリスタの駆動動作を停止させることなく、連続で駆動させたりしていた。
【００１１】
【発明が解決しようとする課題】
しかし、この発光サイリスタに対し順次発光ビットをシフトさせるための転送サイリスタは、発光サイリスタと同じサイリスタ構造を有するが、その光量は発光サイリスタの光量に比べて少ないため、このＳＬＥＤヘッドをプリンタの露光源として使用した場合、転送サイリスタの発光に起因して光量ムラがわずかではあるが生じるという問題があった。
【００１２】
特に、プリンタの印字速度が可変で感光ドラムの回転速度が遅くなった場合に、ＳＬＥＤヘッドの転送を遅くするとともに、発光サイリスタの駆動も遅くすると、感光ドラムへの１ライン露光のデューティが増え、転送サイリスタの発光時間が長くなって、転送サイリスタの発光に起因して光量ムラが生じ、その結果、画像むらが濃く鮮明になるという問題があった。
【００１３】
また、プリンタ速度を２のｎ乗分の１にした場合に、ＳＬＥＤの転送および発光（露光）速度を変えずに駆動する際においても、各ラインに対して、上述した転送動作を止めることなくＳＬＥＤを駆動し続けるようにしたので、発光サイリスタによる露光を行なっていないときでも、常に、転送サイリスタが発光し、その結果、２のｎ乗倍転送部の発光光量に起因して画像にムラが生じるという問題があった。
【００１４】
本発明の目的は、上記のような問題点を解決し、転送用素子の発光に起因する画像ムラを軽減することができるカラー画像形成装置を提供することにある。
【００１５】
【課題を解決するための手段】
請求項１の発明は、発光素子を１列に配置した一次元発光素子アレーと、
画像形成モードが選択される度に該選択された画像形成モードに予め関係付けをした画像形成速度に画像形成速度を切り換える画像形成速度切換手段と、
前記一次元発光素子アレーの各発光素子と同一の構造を有し該各発光素子に１対１に対応させた転送用素子を有する制御手段であって、１ライン分、前記転送用素子を所定のタイミングで順次にアクティブにさせることにより対応する発光素子を順次にアクティブにさせ、引き続き、前記画像形成速度切換手段により切り換えられた画像形成速度に応じたライン分、前記転送用素子をインアクティブにさせることにより対応する発光素子をインアクティブにさせるサイクルを繰り返す制御手段と、
該制御手段により発光素子がアクティブにされたラインに対して、アクティブにされた各発光素子を画像データに基づき駆動し、発光素子がインアクティブされたラインに対して、各発光素子の駆動を停止させる駆動制御手段と
を備えたことを特徴とする。
【００１６】
請求項１において、制御手段は前記画像形成速度に関らず前記発光素子を最速でアクティブにすることができ、駆動制御手段は前記画像形成速度に関らず前記発光素子を最速で駆動することができる。
【００１７】
請求項１において、画像形成速度切換手段は前記画像形成速度を２のｎ（ｎは正整数）乗分の１に切り換えることができる。
【００１８】
請求項３において、駆動制御手段は、各サイクルに対して２のｎ乗マイナス１ライン分だけ駆動を停止させることができる。
【００１９】
請求項１において、制御手段は、アサートされた所定の転送用信号に同期させて転送用素子を順次にアクティブにすることにより対応する発光素子を順次にアクティブにすることができる。
【００２０】
請求項１において、制御手段は、副走査のタイミングをとるためのタイミング信号を供給する信号供給手段と、該信号供給手段により供給されたタイミング信号をカウントアップするカウンタと、前記画像形成速度切換手段により画像形成速度が切り換えられる度に前記カウンタのビット数としてｎビットを設定する設定手段とを有し、
前記カウンタのカウント値が０である場合に、前記転送用素子を所定のタイミングで順次にアクティブにすることにより対応する発光素子を順次にアクティブにし、前記カウンタのカウント値が０以外の場合に、前記画像形成速度切換手段により切り換えられた画像形成速度に応じたライン分、前記転送用素子をインアクティブにすることにより対応する発光素子をインアクティブにすることができる。
【００２１】
請求項６において、制御手段は、前記カウンタのカウント値が０である場合に、ヘッド駆動制御信号をアサートにし、前記カウンタのカウント値が０以外の場合に、ヘッド駆動制御信号をネゲートにする信号生成手段を有し、
前記信号生成手段によりヘッド駆動制御信号がアサートにされた場合に、前記転送用素子を所定のタイミングで順次にアクティブにすることにより対応する発光素子を順次にアクティブにし、ヘッド駆動制御信号がネゲートにされた場合に、前記画像形成速度切換手段により切り換えられた画像形成速度に応じたライン分、前記転送用素子をインアクティブにすることにより対応する発光素子をインアクティブにすることができる。
【００２２】
【発明の実施の形態】
以下、本発明の実施の形態を図面を参照して詳細に説明する。
【００２３】
図１は本発明の第１の実施の形態を示す。これは、カラーリーダ部１とプリンタ部２を有するカラー画像形成装置の例であり、その構造を図２に示す。
【００２４】
まず、図２を参照してカラーリーダ部１を説明する。図２において、３０１はプラテンガラスであって、原稿を載置するためのものである。３０２は原稿給紙装置であり、積載された原稿をプラテンガラス３０１上に順次給送するものである。原稿給紙装置３０２に代えて、鏡面圧板または白色圧板を装着するようにしてもよい。
【００２５】
３１４はキャリッジであって、光源３０３、３０４と、反射傘３０５、３０６と、ミラー３０７が収容してある。光源３０３、３０４はプラテンガラス３０１上の原稿を照明するものである。光源３０３、３０４として、ハロゲンランプまたは蛍光灯が用いられている。反射傘３０５、３０６は光源３０３、３０４の光を原稿に集光するためのものである。ミラー３０７はプラテンガラス３０１上の原稿からの反射光または投影光をキャリッジ３１５に導くものである。キャリッジ３１５はミラー３０８，３０９を有し、キャリッジ３１４からの光を結像レンズ３１０に導くものである。１０１はＣＣＤ（charge coupled device）であって、結像レンズ３１０からの光信号を電気信号に変換するものである。３１１はＣＣＤ１０１を実装するための基板である。キャリッジ３１４はＶの速度で、キャリッジ３１５はＶ／２の速度で、ＣＣＤ１０１の電気的走査（主走査）方向に対して垂直方向に、機械的に移動することによって、原稿の全面を走査（副走査）する。
【００２６】
３１２はプリンタ処理部であって、ＣＣＤ１０１からの画像信号を処理するとともに、１次元発光素子アレーを有するＳＬＥＤヘッド２１０〜２１３（図２）を駆動制御するものであり、その構成を図１に示す。３１３は他のＩＰＵ等とのインタフェース（Ｉ／Ｆ）部である。
【００２７】
次に、図２を参照してプリンタ部２を説明する。３４１はカセットであり、転写材が収納してある。３３９はピックアップローラであり、カセット３４１から転写材を１枚づつ分離するものである。３４０はカセットであり、転写材が収納してある。３３８はピックアップローラであり、カセット３４０から転写材を１枚づつ分離するものである。３３６、３３７は給紙ローラであり、カセット３４０，３４１から分離された転写材をそれぞれ転写材搬送ベルト３３３上に供給するものである。
【００２８】
３４６は吸着帯電器であり、給紙ローラ３３６、３３７により供給された転写材を、転写材搬送ベルトローラ３４８と協働して、帯電させ、転写材を転写材搬送ベルト３３３に吸着させるものである。転写材搬送ベルトローラ３４８は転写材搬送ベルト３３３を駆動するものである。転写材搬送ベルトローラ３４８の反対側に転写材搬送ベルト３３３を駆動するための駆動ローラを配置するようにしても良い。３４７は紙先端センサであり、転写材搬送ベルト３３３上の転写材の先端を検知するものである。紙先端センサ３４７からの検出信号はプリンタ部２からカラーリーダ部１へ送られて、カラーリーダ部１からプリンタ部２にビデオ信号を送る際の副走査同期信号として用いられる。
【００２９】
３１７はマゼンタ（Ｍ）画像形成部、３１８はシアン（Ｃ）画像形成部、３１９はイエロー（Ｙ）画像形成部、３２０はブラック（Ｋ）画像形成部であり、各画像形成部３１７〜３２０の構成は本質的に同一である。
【００３０】
Ｍ画像形成部３１７を説明する。３４２は感光ドラムであり、その表面に、ＳＬＥＤヘッド２１０からの光によって潜像が形成される。３２１は一次帯電器であり、感光ドラム３４２の表面を所定の電圧に帯電させ、潜像形成の準備をするためのものである。３２２は現像器であり、感光ドラム３４２上に形成された潜像を現像してトナー像にするものである。現像器３２２には、現像バイアスを印加して現像するためのスリーブ３４５が含まれている。３２３は転写帯電器であり、転写材搬送ベルト３３３の背面から放電を行って転写材搬送ベルト３３３上の記録紙へ、感光ドラム３４２上のトナー像を転写するものである。Ｍ画像形成部３１７は転写効率がよいため、クリーナ部を設けていないが、クリーナ部を設け、このクリーナ部により感光ドラム３４２のクリーニングを行うようにしてもよい。
【００３１】
Ｃ画像形成部３１８を説明する。３４３は感光ドラムであり、その表面に、ＳＬＥＤヘッド２１１からの光によって潜像が形成される。３２４は一次帯電器であり、感光ドラム３４３の表面を所定の電圧に帯電させ、潜像形成の準備をするためのものである。３２５は現像器であり、感光ドラム３４３上に形成された潜像を現像してトナー像にするものである。現像器３２５には、現像バイアスを印加して現像するためのスリーブ３４６が含まれている。３２６は転写帯電器であり、転写材搬送ベルト３３３の背面から放電を行って転写材搬送ベルト３３３上の記録紙へ、感光ドラム３４３上のトナー像を転写するものである。Ｃ画像形成部３１８も転写効率がよいため、クリーナ部を設けていないが、クリーナ部を設け、このクリーナ部により感光ドラム３４３のクリーニングを行うようにしてもよい。
【００３２】
Ｙ画像形成部３１９を説明する。３４４は感光ドラムであり、その表面に、ＳＬＥＤヘッド２１２からの光によって潜像が形成される。３２７は一次帯電器であり、感光ドラム３４４の表面を所定の電圧に帯電させ、潜像形成の準備をするためのものである。３２８は現像器であり、感光ドラム３４４上に形成された潜像を現像してトナー像にするものである。現像器３２８には、現像バイアスを印加して現像するためのスリーブ３４７が含まれている。３２９は転写帯電器であり、転写材搬送ベルト３３３の背面から放電を行って転写材搬送ベルト３３３上の記録紙へ、感光ドラム３４４上のトナー像を転写するものである。Ｙ画像形成部３１９も転写効率がよいため、クリーナ部を設けていないが、クリーナ部を設け、このクリーナ部により感光ドラム３４４のクリーニングを行うようにしてもよい。
【００３３】
Ｋ画像形成部３２０を説明する。３４５は感光ドラムであり、その表面に、ＳＬＥＤヘッド２１３からの光によって潜像が形成される。３３０は一次帯電器であり、感光ドラム３４５の表面を所定の電圧に帯電させ、潜像形成の準備をするためのものである。３３１は現像器であり、感光ドラム３４５上に形成された潜像を現像してトナー像にするものである。現像器３３１には、現像バイアスを印加して現像するためのスリーブ３４８が含まれている。３３２は転写帯電器であり、転写材搬送ベルト３３３の背面から放電を行って転写材搬送ベルト３３３上の記録紙へ、感光ドラム３４５上のトナー像を転写するものである。Ｋ画像形成部３２０も転写効率がよいため、クリーナ部を設けていないが、クリーナ部を設け、このクリーナ部により感光ドラム３４５のクリーニングを行うようにしてもよい。
【００３４】
次に、図１を説明する。図１において、１、２１０〜２１３は図２と同一部分を示す。１００１はＣＰＵ（central processing unit）であり、本カラー画像形成装置の各部を制御するものである。１００２は画像処理部であり、本カラー画像形成装置に適した色補正、色変換（ＲＧＢ画像をＹＭＣＫへ変換）、２値化を行うものである。１００３はクロック発生器であり、メインクロックを発生するものである。１００７はドラムモータであり、感光ドラム３４２〜３４５を駆動するものである。１００５Ｍ，１００５Ｃ，１００５Ｙ，１００５Ｋは画像メモリであり、それぞれ、画像処理部１００２からのＭ画像データ、Ｙ画像データ、Ｃ画像データ、Ｋ画像データをストアするためのものである。１００６Ｍ，１００６Ｃ，１００６Ｙ，１００６ＫはＳＬＥＤヘッドコントローラであり、画像メモリ１００５Ｍ，１００５Ｃ，１００５Ｙ，１００５ＫからのＭ，Ｃ，Ｙ，Ｋ画像データに基づきＳＬＥＤヘッド２１０〜２１３を駆動するものである。
【００３５】
次に、露光制御動作を説明する。コピー操作部１００４が操作されて、プリントを開始するためのプリントスタート信号が出力されると、このプリントスタート信号を受信したＣＰＵ１００１は、画像出力開始信号を画像処理部１００２へ供給する。画像処理部１００２はこの画像出力開始信号を受信すると、画像データを取得するためのリードイネーブル信号をカラーリーダ部１へ供給して、カラーリーダ部１から画像データを読み込み、本カラー画像形成装置に適した色補正、色変換（ＲＧＢ画像をＹＭＣＫへ変換）、２値化を行う。
【００３６】
画像処理が終了すると、画像処理部１００２は画像処理により得られた画像データと、画像データを書き込むためのライトクロックとライトイネーブル信号を、Ｍ，Ｃ，Ｙ，Ｋ画像形成部３１７〜３２０に対応する画像メモリ１００５Ｍ，１００５Ｃ，１００５Ｙ，１００５Ｋへ供給し、画像メモリ１００５Ｍ，１００５Ｃ，１００５Ｙ，１００５ＫにそれぞれＭ，Ｃ，Ｙ，Ｋ画像データを書き込む。
【００３７】
ついで、ＣＰＵ１００１がプリント速度に応じて、Ｍ，Ｃ，Ｙ，Ｋ画像形成部３１７〜３２０に対応するイネーブル信号Ｍ＿ＥＮＢ、Ｃ＿ＥＮＢ、Ｙ＿ＥＮＢ、Ｋ＿ＥＮＢを、Ｍ，Ｃ，Ｙ，Ｋの順に出力する。プリント速度は、通常のプリントでは、最速のプリント速度に初期設定されているが、作業者は印字モード（標準画質モードか、高画質モード）の選択や、用紙（通常紙か、厚紙か、はがきか、ＯＨＰ）の選択を行なうことができる。
【００３８】
設定されたプリントモードを受けたＣＰＵ１００１は、プリントモードに応じてプリント速度を２のｎ乗分の１に減速させる。減速方法としては、クロック発生器１００３からのメインクロックをＣＰＵ１００１により２のｎ乗分の１に分周することにより行う方法がある。通常のプリント時（プリント速度が最速）の図１に示す各部のタイミングの一例を図３に示し、厚紙プリント時（プリント速度が１／２速）の図１に示す各部のタイミングの一例を図４に示す。
【００３９】
ＳＬＥＤヘッドコントローラ１００６Ｍは、ＣＰＵ１００１からプリントモード信号とＭ画像形成部３１７に対するイネーブル信号を受けると、ＳＬＥＤヘッドコントローラ１００６Ｍ内の駆動信号発生部により、ＳＬＥＤヘッド２１０を駆動するのに必要な信号を発生させる。また、ＳＬＥＤヘッドコントローラ１００６Ｍは、画像メモリ１００５Ｍから画像データを受け取るためのリードクロックM-readCLKとリードイネーブル信号M-readENBを出力し、画像メモリ１００５Ｍから画像データを受け取る。さらに、ＳＬＥＤヘッドコントローラ１００６ＭはＳＬＥＤヘッド２１０を駆動するのに必要なスタートパルスφＳ、シフトパルスφ１、φ２、画像データφＩも発生する。
【００４０】
ＳＬＥＤヘッドコントローラ１００６Ｍに入出力される上記各信号のタイミングの一例を図５に示す。
【００４１】
そして、プリント速度が切り換えられて、２のｎ（ｎは正整数）乗分の１速になった場合、ＳＬＥＤヘッドコントローラ１００６Ｍは、１ライン分の露光制御を行い、その後、２のｎ乗分の１速に応じたライン分の露光制御を停止させるサイクルを繰り返す。例えば、２分の１速時（すなわち、ｎ＝１の場合）には、転送および発光の駆動が初期設定の最速で行われ、１ライン分の露光制御の後に１ライン分の露光制御を停止させるサイクルが繰り返されることになる。すなわち。１ラインおきに露光制御が停止されることになる。また、例えば、４分の１速時（すなわち、ｎ＝２の場合）には、転送および発光の駆動が初期設定の最速で行われ、１ライン分の露光制御の後に３ライン分の露光制御を停止させるサイクルが繰り返されることになる。
【００４２】
この露光制御と露光制御の停止をより詳しく説明すると、ＣＰＵ１００１からプリントモード信号を受信したＳＬＥＤヘッドコントローラ１００６Ｍは、プリント速度が２のｎ乗分の１速に切り換えられた場合、ＳＬＥＤヘッドコントローラ１００６Ｍ内のカウンタをｎビットカウンタとする。このカウンタはスタートパルスφＳの立ち上がりエッジをカウントする。なお、このスタートパルスφＳは画像形成装置が初期設定されたときにＨ（ハイレベル）になっている。
【００４３】
例えば、２分の１速時には、ｎ＝１であるので、カウンタを１ビットカウンタとする。このカウンタのカウント値が０のとき、カウンタからのＬ（ローレベル）のヘッド駆動制御信号と、シフトパルスφ１、φ２および画像データφＩおよびスタートパルスφＳとがそれぞれＳＬＥＤヘッドコントローラ１００６ＭによりＯＲ演算され、シフトパルスφ１、φ２、画像データφＩ、スタートパルスφＳがそのままＳＬＥＤヘッド２１０に供給され、１ライン分の露光制御が行われる。
【００４４】
カウント値が１のとき、カウンタからのＨのヘッド駆動制御信号と、シフトパルスφ１、φ２および画像データφＩおよびスタートパルスφＳとがそれぞれＳＬＥＤヘッドコントローラ１００６ＭによりＯＲ演算され、シフトパルスφ１、φ２、画像データφＩ、スタートパルスφＳとして、それぞれＨの信号がＳＬＥＤヘッド２１０に供給され、１ライン分の露光制御が停止される。
【００４５】
その後、１ライン分の露光制御の後に１ライン分の露光制御を停止させるサイクルが繰り返される。
【００４６】
２分の１速時においてＳＬＥＤヘッドコントローラ１００６Ｍに入出力される各信号のタイミングの一例を図６に示す。
【００４７】
例えば、４分の１速時には、ｎ＝２であるので、カウンタを２ビットカウンタとする。
【００４８】
このカウンタのカウント値が００のとき、カウンタからのＬのヘッド駆動制御信号と、シフトパルスφ１、φ２および画像データφＩおよびスタートパルスφＳとがそれぞれＳＬＥＤヘッドコントローラ１００６ＭによりＯＲ演算され、シフトパルスφ１、φ２、画像データφＩ、スタートパルスφＳがそのままＳＬＥＤヘッド２１０に供給され、１ライン分の露光制御が行われる。
【００４９】
カウント値が０１のとき、カウンタからのＨのヘッド駆動制御信号と、シフトパルスφ１、φ２および画像データφＩおよびスタートパルスφＳとがそれぞれＳＬＥＤヘッドコントローラ１００６ＭによりＯＲ演算され、シフトパルスφ１、φ２、画像データφＩ、スタートパルスφＳとして、それぞれＨの信号がＳＬＥＤヘッド２１０に供給され、１ライン分の露光制御が停止される。
【００５０】
カウント値が１０のとき、カウンタからのＨのヘッド駆動制御信号と、シフトパルスφ１、φ２および画像データφＩおよびスタートパルスφＳとがそれぞれＳＬＥＤヘッドコントローラ１００６ＭによりＯＲ演算され、シフトパルスφ１、φ２、画像データφＩ、スタートパルスφＳとして、それぞれＨの信号がＳＬＥＤヘッド２１０に供給され、さらに１ライン分の露光制御が停止される。
【００５１】
カウント値が１１のとき、カウンタからのＨのヘッド駆動制御信号と、シフトパルスφ１、φ２および画像データφＩおよびスタートパルスφＳとがそれぞれＳＬＥＤヘッドコントローラ１００６ＭによりＯＲ演算され、シフトパルスφ１、φ２、画像データφＩ、スタートパルスφＳとして、それぞれＨの信号がＳＬＥＤヘッド２１０に供給され、さらに１ライン分の露光制御が停止される。
【００５２】
その後、１ライン分の露光制御の後に３ライン分の露光制御を停止させるサイクルが繰り返される。
【００５３】
４分の１速時においてＳＬＥＤヘッドコントローラ１００６Ｍに入出力される各信号のタイミングの一例を図７に示す。
【００５４】
以上、ＳＬＥＤヘッドコントローラ１００６Ｍの動作を説明したが、ＳＬＥＤヘッドコントローラ１００６Ｍ，１００６Ｃ，１００６Ｙ，１００６Ｋは、本質的に、同様の動作を行なうので、ＳＬＥＤヘッドコントローラ１００６Ｃ，１００６Ｙ，１００６Ｋの動作の説明は省略する。
【００５５】
【発明の効果】
以上説明したように、本発明によれば、上記のように構成したので、転送用素子の発光に起因する画像ムラを軽減することができる。
【図面の簡単な説明】
【図１】本発明の一実施の形態を示すブロック図である。
【図２】一実施の形態に係るカラー画像形成装置の構造の一例を示す断面図である。
【図３】通常のプリント時（プリント速度が最速）の図１に示す各部のタイミングの一例を示すタイミング図である。
【図４】厚紙プリント時（プリント速度が１／２速）の図１に示す各部のタイミングの一例を示すタイミング図である。
【図５】ＳＬＥＤヘッドコントローラ１００６Ｍに入出力される各信号のタイミングの一例を示すタイミング図である。
【図６】２分の１速時においてＳＬＥＤヘッドコントローラ１００６Ｍに入出力される各信号のタイミングの一例をタイミング図である。
【図７】４分の１速時においてＳＬＥＤヘッドコントローラ１００６Ｍに入出力される各信号のタイミングの一例をタイミング図である。
【図８】ＳＬＥＤの構成の一例を示す回路図である。
【図９】図８のＳＬＥＤの動作を説明するためのタイミング図である。
【符号の説明】
２１０，２１１，２１２，２１３  ＳＬＥＤヘッド
１００１  ＣＰＵ
１００２  画像処理部
１００３  クロック発生器
１００４  コピー操作部
１００５Ｍ，１００５Ｃ，１００５Ｙ，１００５Ｋ  画像メモリ
１００６Ｍ，１００６Ｃ，１００６Ｙ，１００６Ｋ  ＳＬＥＤヘッドコントローラ
【図１】
0004289743.tif 000002
【図２】
0004289743.tif 000003
【図３】
0004289743.tif 000004
【図４】
0004289743.tif 000005
【図５】
0004289743.tif 000006
【図６】
0004289743.tif 000007
【図７】
0004289743.tif 000008
【図８】
0004289743.tif 000009
【図９】
0004289743.tif 000010